(57)【特許請求の範囲】
【請求項１】
少なくとも励起光を射出する励起光源を含む光源装置と、
前記励起光を蛍光に変換する蛍光体が周方向に沿って連続して形成された蛍光円板と、
円の中心を貫く軸を中心に前記蛍光円板を前記周方向に回転させるモーター部と、
少なくとも前記蛍光を含む光を変調して画像光を生成する光変調装置と、
前記画像光を投射する投射光学系と、を備え、
前記蛍光円板の回転数が目標数よりも低い所定数に到達すると前記励起光源が点灯し、前記蛍光円板の回転数が前記所定数に到達した後、前記蛍光円板の回転数が増加すると前記励起光源の出力が増加することを特徴とするプロジェクター。
【請求項２】
前記励起光源への投入電力が増加することで出力が増加することを特徴とする請求項１に記載のプロジェクター。
【請求項３】
前記蛍光円板の回転数が目標数に到達するタイミングが、前記励起光源への前記投入電力が目標値に到達するタイミングよりも先、若しくは略等しいタイミングであることを特徴とする請求項２に記載のプロジェクター。
【請求項４】
前記蛍光円板の回転数が所定数に到達してからの経過時間と前記蛍光円板の回転数との関係を予め設定したルックアップテーブルに基づいて前記励起光源の出力が増加することを特徴とする請求項１〜３のいずれか一項に記載のプロジェクター。
【請求項５】
前記モーター部から前記蛍光円板の回転数を検出し、該検出結果に応じて前記励起光源の出力が増加することを特徴とする請求項１〜３のいずれか一項に記載のプロジェクター。
【請求項６】
パルス駆動により前記励起光源を駆動し、
前記励起光源の駆動周波数は、前記蛍光円板の周波数の３倍以上、且つ非整数倍であることを特徴とする請求項１〜５のいずれか一項に記載のプロジェクター。
【請求項７】
前記光源装置は、前記蛍光とともに白色光をなす光を射出する固体光源を含み、
前記励起光源が点灯するとともに前記固体光源が点灯することを特徴とする請求項１〜６のいずれか一項に記載のプロジェクター。
【発明の詳細な説明】
【技術分野】
【０００１】
本発明は、プロジェクターに関するものである。
【背景技術】
【０００２】
従来、光源装置としてＬＥＤ（発光ダイオード）、ＬＤ（レーザーダイオード）等の固体光源を用いることで、小型、低消費電力、長寿命といった特徴を有したプロジェクターが提案されている。また、固体光源と蛍光体とを組み合わせた光源装置を備えることで上述の特徴を実現することを試みたプロジェクターがある（例えば、特許文献１参照）。
【先行技術文献】
【特許文献】
【０００３】
【特許文献１】特開２０１１−１２８３４０号公報
【発明の概要】
【発明が解決しようとする課題】
【０００４】
ところで、上述の蛍光体には発熱による変換効率若しくは長期信頼性の低下といった課題があることから、蛍光体を回転させることで局所的な発熱を防止する技術も知られている。
【０００５】
しかしながら、上述のように蛍光体を回転させる構造を採用した場合、蛍光体が所望の回転数に到達するまでに時間を要するため、上記固体光源を点灯するまでの時間、すなわちプロジェクターの起動に時間を要する。
【０００６】
本発明はこのような事情に鑑みてなされたものであって、蛍光体の局所的な発熱を抑制することで長期信頼性を確保しつつ、且つ高速起動を可能にしたプロジェクターを提供することを目的とする。
【課題を解決するための手段】
【０００７】
上記の課題を解決するために、本発明のプロジェクターは、少なくとも励起光を射出する励起光源を含む光源装置と、前記励起光を蛍光に変換する蛍光体が周方向に沿って連続して形成された蛍光円板と、円の中心を貫く軸を中心に前記蛍光円板を前記周方向に回転させるモーター部と、少なくとも前記蛍光を含む光を変調して画像光を生成する光変調装置と、前記画像光を投射する投射光学系と、を備え、前記蛍光円板の回転数が目標数よりも低い所定数に到達すると前記励起光源が点灯し、前記蛍光円板の回転数が前記所定数に到達した後、前記蛍光円板の回転数が増加すると前記励起光源の出力が増加する。
【０００８】
本発明のプロジェクターによれば、光源装置の駆動開始時に蛍光円板の回転数が目標数よりも低い所定数に到達したタイミングで固体光源が点灯するので、いち早く画像を表示することができ、プロジェクターの起動時にユーザーを待たせる時間を短縮できる。また、固体光源の点灯後に蛍光円板の回転数の増加に応じて固体光源の出力が増加するため、固体光源は蛍光円板の回転数が低い段階においては光量が抑えられたものとなっている。よって、回転数の低い蛍光円板に高出力の励起光が照射されることで蛍光体の劣化を抑えることができる。
したがって、蛍光体の長期信頼性を確保しつつ、高速起動を実現したプロジェクターを提供できる。
【０００９】
また、上記プロジェクターにおいては、前記制御部は、前記励起光源への投入電力が増加することで出力が増加することが好ましい。
この構成によれば、投入電力が増加することで固体光源の出力を増加することを簡便且つ確実に行うことができる。
【００１０】
また、上記プロジェクターにおいては、前記蛍光円板の回転数が所定数に到達してからの経過時間と前記蛍光円板の回転数との関係を予め設定したルックアップテーブルに基づいて前記励起光源の出力が増加することが好ましい。
この構成によれば、予め設定したルックアップテーブルを用いることで前記蛍光円板の回転数が所定数に到達してからの経過時間に基づいて蛍光円板の回転数を容易に取得することができる。
【００１１】
また、上記プロジェクターにおいては、前記モーター部から前記蛍光円板の回転数を検出し、該検出結果に応じて前記励起光源の出力が増加することが好ましい。
この構成によれば、モーター部から蛍光円板の回転数を随時取得できるので、固体光源の出力制御を高精度で行うことができる。
【００１２】
また、上記プロジェクターにおいては、前記蛍光円板の回転数が目標数に到達するタイミングが、前記励起光源への前記投入電力が目標値に到達するタイミングよりも先、若しくは略等しいタイミングであることが好ましい。
この構成によれば、蛍光円板の回転数が飽和するタイミングは、固体光源への投入電力が飽和するタイミングよりも先、若しくは略等しくなるので、蛍光を安定的に発生させることができる。
【００１３】
また、上記プロジェクターにおいては、パルス駆動により前記励起光源を駆動し、前記励起光源の駆動周波数は、前記蛍光円板の周波数の３倍以上、且つ非整数倍であることが好ましい。
この構成によれば、固体光源及び蛍光円板の駆動周波数が干渉することによるフリッカの発生を防止できる。
【００１４】
また、上記プロジェクターにおいては、前記光源装置は、前記蛍光とともに白色光をなす光を射出する固体光源を含み、前記励起光源が点灯するとともに前記固体光源が点灯することが好ましい。
この構成によれば、制御部によりホワイトバランスを維持するように光源装置の駆動が制御されるので、明るく鮮明な画像光を得ることができる、信頼性の高いプロジェクターを提供できる。
【図面の簡単な説明】
【００１５】
【図１】第１実施形態に係るプロジェクターの全体構成を模式的に表す概略図。
【図２】第１実施形態に係るプロジェクターに設けられる回転蛍光板の構成を示す図。
【図３】第１実施形態に係るプロジェクターの制御系の要部構成を示すブロック図。
【図４】第１実施形態に係るプロジェクターの制御系の処理手順を表すフローチャート。
【図５】第１実施形態における光源駆動部への投入電力を示す図。
【図６】第２実施形態に係るプロジェクターの制御系の要部構成を示すブロック図。
【発明を実施するための形態】
【００１６】
以下、図面を参照して、本発明の実施の形態について説明する。係る実施の形態は、本発明の一態様を示すものであり、この発明を限定するものではなく、本発明の技術的思想の範囲内で任意に変更可能である。また、以下の図面においては、各構成をわかりやすくするために、実際の構造における縮尺や数等が異なっている。
【００１７】
（第１実施形態）
図１は、第１実施形態に係るプロジェクターの全体構成を模式的に表す概略図である。
図１に示すように、プロジェクター１は、照明装置１０、色分離導光光学系２０、液晶光変調装置３０Ｒ，３０Ｇ，３０Ｂ（光変調装置）、クロスダイクロイックプリズム４０、及び投射光学系６０を備えており、外部から入力される画像信号に応じた画像光をスクリーンＳＣＲに向けて投射することによりスクリーンＳＣＲ上に画像を表示する。
【００１８】
照明装置１０は、第１光源（励起光源）１１及び第２光源（固体光源）５０を含む光源装置５５、集光レンズ１２，５１、回転蛍光板（蛍光円板）１３、モーター（モーター部）１４、拡散板５２、コリメーター光学系１５，５３、ビームスプリッター５４、第１レンズアレイ１６、第２レンズアレイ１７、偏光変換素子１８、及び重畳レンズ１９を備えている。
【００１９】
第１光源１１及び第２光源５０は、例えば、単一の半導体レーザー素子を面状に配列形成された複数の半導体レーザー素子を備えた半導体レーザーアレイを用いることができる。このように複数の半導体レーザー素子を備えるものを用いることで、高出力の青色光を得ることができる。また、第１光源１１及び第２光源５０として、発光強度のピークが４４５ｎｍの青色光を射出するものを例に挙げて説明するが、これとは異なる発光強度のピーク（例えば、約４６０ｎｍ）を有するものを用いることもできる。
【００２０】
集光レンズ１２は、第１光源１１と回転蛍光板１３との間の光路上に配設され、第１光源１１から射出された青色光を回転蛍光板１３の近傍の位置に集光させるためのものである。
【００２１】
回転蛍光板１３は、集光レンズ１２で集光された励起光としての青色光を、赤色光及び緑色光を含む黄色光（蛍光）に変換するものであり、モーター１４によって回転自在に支持されている。
【００２２】
図２は、本実施形態によるプロジェクターに設けられる回転蛍光板１３の構成を示す図であって、（ａ）は正面図であり、（ｂ）は（ａ）中のＡ−Ａ線に沿う断面矢視図である。図２に示すように、回転蛍光板１３は、透明な円板１３ａの一面に、単一の蛍光層としての蛍光体１３ｂが円板１３ａの周方向に沿って連続して形成されてなるものである。
【００２３】
円板１３ａは、例えば石英ガラス、水晶、サファイア、光学ガラス、透明樹脂等の青色光を透過する材料を用いて形成されたものである。この円板１３ａの中心部には、モーター１４の回転軸が介挿される穴が形成されている。蛍光体１３ｂは、第１光源１１からの青色光を赤色光及び緑色光を含む黄色光（蛍光）に変換した状態で通過させる。この蛍光体１３ｂとしては、例えば、ＹＡＧ系蛍光体である（Ｙ，Ｇｄ）３（Ａｌ，Ｇａ）５Ｏ１２：Ｃｅを含有するものを用いることができる。この蛍光体１３ｂは、図２（ｂ）に示す通り、青色光を透過し赤色光及び緑色光を反射するダイクロイック膜１３ｃを介して円板１３ａの一面に形成されている。
【００２４】
回転蛍光板１３は、第１光源１１からの青色光が円板１３ａ側から蛍光体１３ｂに入射するように、蛍光体１３ｂが形成された面を青色光が入射する側とは反対の側に向けて配設される。また、回転蛍光板１３は、モーター１４によって駆動されて回転している状態で、蛍光体１３ｂが形成された領域に青色光が常時入射するように、集光レンズ１２の集光位置の近傍に配設される。
【００２５】
回転蛍光板１３は、定常状態においてモーター１４によって例えば５０００ｒｐｍで回転駆動される。ここで、回転蛍光板１３の直径は５０ｍｍであり、集光レンズ１２で集光された青色光の回転蛍光板１３に対する入射位置は、回転蛍光板１３の回転中心から約２２．５ｍｍ離れた位置に設定されている。つまり、回転蛍光板１３は、青色光の集光スポットが約１２ｍ／秒で蛍光体１３ｂ上を移動するような回転速度でモーター１４により回転駆動される。
【００２６】
図１に戻り、コリメーター光学系１５は、第１レンズ１５ａ及び第２レンズ１５ｂを備えており、回転蛍光板１３からの光を略平行化する。また、集光レンズ５１は、第２光源５０と拡散板５２との間の光路上に配設され、第２光源５０から射出された青色光を拡散板５２の近傍の位置に集光する。拡散板５２で拡散された青色光はコリメーター光学系５３により略平行化する。なお、コリメーター光学系５３は、第１レンズ５３ａ及び第２レンズ５３ｂを備えている。
【００２７】
ビームスプリッター５４は、回転蛍光板１３によって生成された蛍光を透過させつつ、第２光源５０から射出された青色光を反射する。これにより、回転蛍光板１３を介した蛍光と第２光源５０から射出された青色光とが合成されて赤色光、緑色光、及び青色光を含む白色光が生成される。この白色光は第１レンズアレイ１６に入射される。
【００２８】
第１レンズアレイ１６は、複数の小レンズ１６ａを有しており、上記白色光を複数の部分光束に分割する。具体的に、第１レンズアレイ１６が有する複数の小レンズ１６ａは、照明光軸ＡＸと直交する面内において、複数行及び複数列に亘ってマトリクス状に配列されている。なお、第１レンズアレイ１６が有する複数の小レンズ１６ａの外形形状は、液晶光変調装置３０Ｒ，３０Ｇ，３０Ｂの画像形成領域の外形形状に関して略相似形である。
【００２９】
第２レンズアレイ１７は、第１レンズアレイ１６に設けられた複数の小レンズ１６ａに対応する複数の小レンズ１７ａを有する。つまり、第２レンズアレイ１７が有する複数の小レンズ１７ａは、第１レンズアレイ１６が有する複数の小レンズ１６ａと同様に、照明光軸ＡＸと直交する面内において、複数行及び複数列に亘ってマトリクス状に配列されている。この第２レンズアレイ１７は、重畳レンズ１９とともに、第１レンズアレイ１６が有する各小レンズ１６ａの像を液晶光変調装置３０Ｒ，３０Ｇ，３０Ｂの画像形成領域近傍に結像させる。
【００３０】
偏光変換素子１８は、偏光分離層、反射層、及び位相差板（何れも図示省略）を有しており、第１レンズアレイ１６により分割された各部分光束の偏光方向を、偏光方向の揃った略１種類の直線偏光光として射出する。ここで、偏光分離層は、白色光に含まれる偏光成分のうちの一方の直線偏光成分をそのまま透過させ、他方の直線偏光成分を照明光軸ＡＸに垂直な方向に反射する。また、反射層は、偏光分離層で反射された他方の直線偏光成分を照明光軸ＡＸに平行な方向に反射する。更に位相差板は、反射層で反射された他方の直線偏光成分を一方の直線偏光成分に変換する。
【００３１】
重畳レンズ１９は、その光軸が照明装置１０の光軸と一致するように配置されており、偏光変換素子１８からの各部分光束を集光して液晶光変調装置３０Ｒ，３０Ｇ，３０Ｂの画像形成領域近傍に重畳させる。上述した第１レンズアレイ１６、第２レンズアレイ１７、及び重畳レンズ１９は、第１光源１１からの光を均一化するレンズインテグレーター光学系を構成している。
【００３２】
色分離導光光学系２０は、ダイクロイックミラー２１，２２、反射ミラー２３〜２５、リレーレンズ２６，２７、及び集光レンズ２８Ｒ，２８Ｇ，２８Ｂを備えており、照明装置１０からの光を赤色光、緑色光、及び青色光に分離して液晶光変調装置３０Ｒ，３０Ｇ，３０Ｂにそれぞれ導光する。ダイクロイックミラー２１，２２は、所定の波長領域の光を反射して他の波長領域の光を通過させる波長選択透過膜が透明基板上に形成されたミラーである。具体的に、ダイクロイックミラー２１は赤色光成分を通過して緑色光及び青色光成分を反射させ、ダイクロイックミラー２２は緑色光成分を反射して青色光成分を通過させる。
【００３３】
反射ミラー２３は赤色光成分を反射するミラーであり、反射ミラー２４，２５は青色光成分を反射するミラーである。リレーレンズ２６はダイクロイックミラー２２と反射ミラー２４との間に配設され、リレーレンズ２７は、反射ミラー２４と反射ミラー２５との間に配設される。これらリレーレンズ２６，２７は、青色光の光路の長さが他の色光の光路の長さよりも長いため、光の発散等による光の利用効率の低下を防止するために設けられる。集光レンズ２８Ｒ，２８Ｇ，２８Ｂは、反射ミラー２３で反射された赤色光成分、ダイクロイックミラー２２で反射された緑色光成分、及び反射ミラー２５で反射された青色光成分を、液晶光変調装置３０Ｒ，３０Ｇ，３０Ｂの画像形成領域にそれぞれ集光する。
【００３４】
ダイクロイックミラー２１を通過した赤色光は、反射ミラー２３で反射され、集光レンズ２８Ｒを介して赤色光用の液晶光変調装置３０Ｒの画像形成領域に入射する。ダイクロイックミラー２１で反射された緑色光は、ダイクロイックミラー２２で反射され、集光レンズ２８Ｇを介して緑色光用の液晶光変調装置３０Ｇの画像形成領域に入射する。ダイクロイックミラー２１で反射されダイクロイックミラー２２を通過した青色光は、リレーレンズ２６、反射ミラー２４、リレーレンズ２７、反射ミラー２５、及び集光レンズ２８Ｂを順に介して青色光用の液晶光変調装置３０Ｂの画像形成領域に入射する。
【００３５】
液晶光変調装置３０Ｒ，３０Ｇ，３０Ｂは、入射された色光を外部から入力される画像信号に応じて変調して、赤色の画像光、緑色の画像光、及び青色の画像光をそれぞれ生成する。なお、図１では図示を省略しているが、集光レンズ２８Ｒ，２８Ｇ，２８Ｂと液晶光変調装置３０Ｒ，３０Ｇ，３０Ｂとの間にはそれぞれ入射側偏光板が介在配置されており、液晶光変調装置３０Ｒ，３０Ｇ，３０Ｂとクロスダイクロイックプリズム４０との間にはそれぞれ射出側偏光板が介在配置されている。
【００３６】
液晶光変調装置３０Ｒ，３０Ｇ，３０Ｂは、一対の透明なガラス基板の間に電気光学物質である液晶を密閉封入した透過型の液晶光変調装置であり、例えば、ポリシリコンＴＦＴ（Thin Film Transistor：薄膜トランジスター）をスイッチング素子として備える。上述した不図示の入射側偏光板の各々を介した色光（直線偏光）の偏光方向が、液晶光変調装置３０Ｒ，３０Ｇ，３０Ｂの各々に設けられたスイッチング素子のスイッチング動作によって変調されることにより、画像信号に応じた赤色の画像光、緑色の画像光、及び青色の画像光がそれぞれ生成される。
【００３７】
クロスダイクロイックプリズム４０は、上述した不図示の射出側偏光板の各々から射出された画像光を合成してカラー画像を形成する。具体的に、クロスダイクロイックプリズム４０は、４つの直角プリズムを貼り合わせてなる略立方体形状の光学部材であり、直角プリズム同士を貼り合わせた略Ｘ字状の界面には、誘電体多層膜が形成されている。略Ｘ字状の一方の界面に形成された誘電体多層膜は赤色光を反射するものであり、他方の界面に形成された誘電体多層膜は青色光を反射するものである。これらの誘電体多層膜によって赤色光及び青色光は曲折され、緑色光の進行方向と揃えられることにより、３つの色光が合成される。投射光学系５０は、クロスダイクロイックプリズム４０で合成されたカラー画像をスクリーンＳＣＲに向けて拡大投射する。
【００３８】
続いて、上記プロジェクター１の動作について説明する。図３は、本実施形態であるプロジェクター１の制御系の要部構成を示すブロック図である。なお、図３においては、図１に示した各部材のうち、説明上必要となる部材のみを抜き出して簡略化して図示している。
【００３９】
図３に示すように、プロジェクター１は、制御部６１と、光源駆動部６２と、モーター駆動部６３と、光変調装置駆動部６４とを備える。光源駆動部６２は、第１光源１１を駆動する第１光源駆動部６２ａと、第２光源５０を駆動する第２光源駆動部６２ｂとを含む。
【００４０】
制御部６１は、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と（いずれも図示を省略する。）を含んで実現される。ＣＰＵは、ＲＯＭに記憶された制御プログラムを読み出してＲＡＭに展開しこのＲＡＭ上のプログラムのステップを実行する。このＣＰＵによるプログラム実行によって、制御部６１は、プロジェクター１全体の動作を制御する。
【００４１】
制御部６１は、駆動電流設定部１０１と、信号処理部１０２とを備える。
【００４２】
駆動電流設定部１０１は、第１光源１１及び第２光源５０の駆動電流を設定するための信号（以下、駆動電流設定信号と称す）を生成し、光源駆動部６２（第１光源駆動部６２ａ及び第２光源駆動部６２ｂ）に供給する。第１光源駆動部６２ａは、駆動電流設定信号に基づいて第１光源１１を駆動し、第１光源１１から青色光を射出させる。第２光源駆動部６２ｂは、駆動電流設定信号に基づいて第２光源５０を駆動し、第２光源５０から青色光を射出させる。このように駆動電流設定部１０１は、光源駆動部６２に供給する駆動電流設定信号を制御することで、第１光源１１及び第２光源５０への投入電力を制御し、第１光源１１及び第２光源５０の各々が射出する青色光の出力（光量）を制御する。
【００４３】
信号処理部１０２は、モーター１４を回転させる回転制御信号をモーター駆動部６３に供給する。また、信号処理部１０２は、モーター駆動部６３から供給されるモーター１４の回転検出信号によりモーター１４（回転蛍光板１３）の現実の回転数を検出する。さらに信号処理部１０２は、検出したモーター１４の回転数の回転数検出信号を駆動電流設定部１０１に供給する。これにより、駆動電流設定部１０１は、モーター１４（回転蛍光板１３）の回転数に応じて、第１光源１１及び第２光源５０への投入電力を制御し、これら光源の出力を制御する。
【００４４】
また、信号処理部１０２には、コンピュータ、ＤＶＤプレーヤ、ＴＶチューナ等の外部機器からの映像信号が入力される。信号処理部１０２は、例えば映像信号の特性補正、増幅等により画像のリサイズ、ガンマ調整、色調整等を行うとともに、映像信号をＲ、Ｇ、Ｂの各映像データに分解する。また、信号処理部１０２は、各色光用の液晶光変調装置３０Ｒ，３０Ｇ，３０Ｂ（光変調装置）を駆動するための光変調信号を生成し、光変調装置駆動部６４に送信する。
光変調装置駆動部６４は、信号処理部１０２から送信される光変調信号に基づいて、液晶光変調装置３０Ｒ，３０Ｇ，３０Ｂを駆動させる。具体的に光変調装置駆動部６４は、赤色用の光変調信号に応じて赤色光用の液晶光変調装置３０Ｒを駆動させ、緑光用の光変調信号に応じて緑色光用の液晶光変調装置３０Ｇを駆動させ、青色用の光変調信号に応じて青色光用の液晶光変調装置３０Ｂを駆動させる。
【００４５】
続いて、上述したプロジェクター１の制御について説明する。図４は、本実施形態であるプロジェクター１の制御系の処理手順を表すフローチャートであり、プロジェクター１の起動時の処理手順を表すものである。
【００４６】
プロジェクター１の電源がＯＮ状態とされる（ステップＳ１）と、制御部６１の信号処理部１０２は回転制御信号をモーター駆動部６３に供給する（ステップＳ２）。これにより、モーター駆動部６３がモーター１４を駆動することで回転蛍光板１３が回転を開始する。
【００４７】
信号処理部１０２は、モーター駆動部６３から供給される回転検出信号に基づいてモーター１４の回転数を検出し（ステップＳ３）、モーター１４の回転数が所定数に到達したか否かを判定する（ステップＳ４）。モーター１４の回転数が所定数に到達するまで回転数の検出を行う。
【００４８】
なお、モーター１４の回転数の所定数は、例えば、１０００ｒｐｍである。この所定数は、モーター１４の回転数の目標数である５０００ｒｍｐよりも低い回転数である。回転数の目標数とは、照明装置１０の駆動が安定したときの回転蛍光板１３（モーター１４）の回転数である。
【００４９】
制御部６１は、信号処理部１０２がモーター１４の回転数が所定数に到達したことを検出する（Ｙｅｓの場合）と、回転数検出信号を駆動電流設定部１０１に供給する。駆動電流設定部１０１は、該回転数検出信号に基づいて第１光源１１及び第２光源５０の駆動電流設定信号を光源駆動部６２（第１光源駆動部６２ａ及び第２光源駆動部６２ｂ）に供給する。第１光源駆動部６２ａは、駆動電流設定信号に基づいて第１光源１１を目標の投入電力より低い所定の投入電力で駆動し、目標の出力より低い所定の出力で第１光源１１を点灯させる（ステップＳ５）。なお、モーター１４の回転数は所定数に到達した後も目標数に向かって増加していく。
【００５０】
目標の出力とは、例えば、第１光源１１に目標の投入電力（投入電力の目標値）１．２Ａの電流を投入した際に得る３０００ｌｍの光量（出力の目標値）である。なお、目標の出力は、照明装置１０の駆動が安定したときの第１光源１１の出力である。
【００５１】
所定の出力とは、例えば、第１光源１１に所定の投入電力（投入電力の所定値）０．８Ａの電流を投入した際に得る８００ｌｍの光量（出力の所定値）である。
【００５２】
続いて、制御部６１は、第１光源１１への投入電力が目標値に到達しているか否かを判定する（ステップＳ６）。第１光源１１への投入電力が目標値に到達した場合（Ｙｅｓの場合）、プロジェクター１の起動時の処理手順を終了する。
なお、処理手順の終了後、モーター１４は回転数の目標数である５０００ｒｍｐで回転し、第１光源１１は出力（光量）の目標値である３０００ｌｍを出力している状態となる。
【００５３】
一方、制御部６１は、第１光源１１への投入電力が目標値に到達していない場合（Ｎｏの場合）、回転蛍光板１３の回転数が所定数に到達してから所定時間が経過したか否かを判定する（ステップＳ７）。制御部６１は、所定時間を経過したと判定した場合（Ｙｅｓの場合）、第１光源１１への投入電力を増加させる（ステップＳ８）。
【００５４】
所定時間が経過したか否かの判定（ステップＳ７）及び投入電力の増加（ステップＳ８）は、第１光源１１への投入電力が目標値に到達したと判断する（ステップＳ６）まで繰り返す。
【００５５】
以下の説明では、第１光源１１における投入電力の増加（ステップＳ８）について説明する。
【００５６】
本実施形態では予め算出したルックアップテーブルを用いて第１光源１１の出力を増加させる。このルックアップテーブルは、回転蛍光板の回転数が所定数に到達してからの経過時間と回転蛍光板１３（モーター１４）の回転数との関係を予め評価しておくことで作成されたものである。したがって、制御部６１は、上記ルックアップテーブルを参照することで、回転蛍光板１３の回転数が所定数に到達してからの経過時間に対応した回転蛍光板１３の回転数に関する情報を取得する。ルックアップテーブルを用いれば、制御部６１が回転蛍光板１３（モーター１４）の回転数を常に管理する必要が無く、回転蛍光板１３の回転数が所定数に到達した時間のみを管理すればよくなるため、第１光源１１の点灯後における制御部６１の制御を簡略化できる。
【００５７】
制御部６１は、ステップＳ８においてルックアップテーブルから取得した上記回転数に対応させて第１光源１１への投入電力を増大させる。具体的には、駆動電流設定部１０１が第１光源１１の駆動電流設定信号を光源駆動部６２に供給する。これにより、第１光源駆動部６２ａは、駆動電流設定信号に基づいて第１光源１１への投入電力を増大させることで青色光の出力を増加させる。
【００５８】
図５は、第１実施形態における光源駆動部への投入電力を示す図である。
制御部６１は、第１光源１１の出力（光量）を増加させる際、単位時間（１５〜３０ｍｓ）当たり２％以内の変化率を維持するように増加させるのが好ましい。このようにすれば、第１光源１１の明るさを滑らかに変動させることができ、チラつき等による表示画像の品質低下を防止できる。例えば、制御部６１は第１光源１１への投入電力を図５（ａ）に示すように直線状に増加するように制御する。また、制御部６１は、第１光源１１への投入電力を図５（ｂ）に示すように下に凸となるように制御する。
【００５９】
或いは、第１光源１１の出力（光量）を増加させる際、第１光源１１の排熱量を考慮することが考えられる。第１光源１１の排熱量が多くなると、蛍光体１３ｂの変換効率を低下させる。そのため、第１光源１１への投入電力を図５（ｃ）に示すように上に凸となるように制御する。
【００６０】
制御部６１は、回転蛍光板１３の回転数が目標数に到達するタイミングを、第１光源１１の出力が目標値に到達するタイミングよりも先若しくは略等しいタイミングとなるように第１光源１１を制御する。これにより、回転蛍光板１３が目標数で安定して回転した状態で第１光源１１の出力が目標値に到達するので、青色光を安定的に回転蛍光板１３の蛍光体１３ｂに入射することで黄色光を効率的に生成することができる。
【００６１】
本実施形態によれば、回転蛍光板１３を回転させるモーター１４の回転数が目標数である５０００ｒｐｍよりも低い回転数の所定数である１０００ｒｐｍに到達した時点で第１光源１１及び第２光源５０が点灯することでいち早く画像を表示することができる。よって、モーター１４の回転数が目標数に到達するまで画像が表示されずユーザーを長時間待たせるといった不具合の発生を防止することができる。
【００６２】
本実施形態によれば、第１光源１１の点灯後、回転蛍光板１３の回転数の増加に伴って第１光源１１の出力が増加する。これにより、回転数が低い回転蛍光板１３に出力の高い励起光が照射されることに伴う蛍光体１３ｂの発熱を抑えることができ、蛍光体１３ｂの変換効率の低下といった問題が生じるのを防止できる。さらには、蛍光体１３ｂの発熱を抑えることで蛍光体１３ｂの寿命を延ばすことができ、蛍光体１３ｂの長期信頼性を確保することもできる。
【００６３】
なお、本実施形態では、ステップＳ５において第１光源１１を点灯させ、ステップＳ８において第１光源１１への投入電力を増加させる場合について説明した。
しかし、ステップＳ５において、第１光源１１の点灯とともに、第２光源駆動部６２ｂは第２光源５０を点灯させてもよい。これにより、第１レンズアレイ１６には白色光が入射され、照明装置１０は、プロジェクター１を駆動して照明装置１０が点灯を開始した直後から良好なホワイトバランスの白色光を射出することができる。
また、ステップＳ８において、第１光源１１への投入電力を増加させるとともに、第２光源５０への投入電力についても同様に増加させてもよい。制御部６１は、白色光のホワイトバランスを維持するようにして第２光源５０への投入電力を増加させる。
【００６４】
なお、本実施形態では、ルックアップテーブルを用いてモーター１４の回転数を取得する場合について説明したが、制御部６１は、第１光源１１の点灯後においても信号処理部１０２を介してモーター１４の回転数の増加をリアルタイムで取得し、回転数に合わせて第１光源１１への投入電力を増大させてもよい。このようにすれば、経時変化や固体バラツキにより上記ルックアップテーブルから取得される回転数とモーター１４の現実の回転数にズレが生じるような場合に特に効果的である。
【００６５】
なお、本実施形態では、回転蛍光板１３の回転数が目標数に到達するタイミングを、第１光源１１の出力が目標値に到達するタイミングよりも先若しくは略等しいタイミングとする場合について説明したが、制御部６１がモーター１４の回転を制御することで第１光源１１の出力を増加させるタイミングを調整するようにしても構わない。
【００６６】
（第２実施形態）
以下、第２実施形態に係るプロジェクターについて説明する。本実施形態と第１実施形態との違いは、プロジェクター１の制御系の構成である。具体的に、本実施形態では、第１光源１１及び第２光源５０をパルス駆動しており、パルス幅変調のＤｕｔｙを制御することで第１光源１１及び第２光源５０の出力を制御する点が第１実施形態と異なる。それ以外の構成は、本実施形態と第１実施形態とは同一であることから、同一部材及び構成については同じ符号を付し、その詳細な説明については省略若しくは簡略化する。
【００６７】
図６は本実施形態に係るプロジェクター１の制御系の要部構成を示すブロック図である。図６においては、各部材のうち、説明上必要となる部材のみを抜き出して簡略化して図示している。
【００６８】
図６に示すように、プロジェクター１は、制御部６１と、光源駆動部６２と、モーター駆動部６３と、光変調装置駆動部６４とを備える。光源駆動部６２は、第１光源１１を駆動する第１光源駆動部６２ａと、第２光源５０を駆動する第２光源駆動部６２ｂとを含む。
【００６９】
本実施形態に係る制御部６１は、信号処理部２００と、ＰＷＭ信号生成部２０１とを備える。
【００７０】
信号処理部２００は、モーター駆動部６３から供給されるモーター１４の回転検出信号を取り込み、回転検出信号に基づいてモーター１４（回転蛍光板１３）の回転数を検出する。
【００７１】
ＰＷＭ信号生成部２０１は、モーター１４の回転数に応じた光量を得るように、パルス幅変調により駆動される第１光源１１及び第２光源５０におけるデューティー（Ｄｕｔｙ）に関する情報（以下、デューティー情報と称す）を生成し、デューティー情報を光源駆動部６２に供給する。光源駆動部６２（第１光源駆動部６２ａ及び第２光源駆動部６２ｂ）は、デューティー情報に基づいて第１光源１１及び第２光源５０をパルス駆動し、各々から青色光を射出させる。
【００７２】
また、信号処理部２００には、コンピュータ、ＤＶＤプレーヤ、ＴＶチューナ等の外部機器からの映像信号が入力される。信号処理部２００は、例えば映像信号の特性補正、増幅等により画像のリサイズ、ガンマ調整、色調整等を行うとともに、映像信号をＲ、Ｇ、Ｂの各映像データに分解する。また、信号処理部２００は、各色光用の液晶光変調装置３０Ｒ，３０Ｇ，３０Ｂ（光変調装置）を駆動するための光変調信号を生成し、光変調装置駆動部６４に送信する。
光変調装置駆動部６４は、信号処理部２００から送信される光変調信号に基づいて、液晶光変調装置３０Ｒ，３０Ｇ，３０Ｂを駆動させる。具体的に光変調装置駆動部６４は、赤色用の光変調信号に応じて赤色光用の液晶光変調装置３０Ｒを駆動させ、緑光用の光変調信号に応じて緑色光用の液晶光変調装置３０Ｇを駆動させ、青色用の光変調信号に応じて青色光用の液晶光変調装置３０Ｂを駆動させる。
【００７３】
なお、信号処理部２００は、第１光源１１及び第２光源５０の駆動周波数を光変調装置駆動部６４の駆動周波数の整数倍としている。これにより、第１光源１１及び第２光源５０から間欠的に射出される青色光と、液晶光変調装置３０Ｒ，３０Ｇ，３０Ｂにより間欠的に行われる光変調動作とが干渉することによるノイズの発生を防止している。
【００７４】
また、信号処理部２００は、モーター駆動部６３に対してモーター１４を回転させる回転制御信号をモーター駆動部６３に供給するとともに、モーター駆動部６３から供給されるモーター１４の回転検出信号を取り込み、回転検出信号に基づいてモーター１４（回転蛍光板１３）の現実の回転数を検出する。これにより、信号処理部２００は、モーター１４（回転蛍光板１３）の回転数に応じて、パルス駆動される第１光源１１及び第２光源５０に対して光源駆動部６２が供給する信号のデューティー（Ｄｕｔｙ）を制御することでこれら第１光源１１及び第２光源５０の出力を制御する。
【００７５】
なお、信号処理部２００は、上述の第１光源１１の駆動周波数がモーター１４の回転周波数の３倍以上であり、且つ非整数倍の関係を満たすように第１光源１１とモーター１４を駆動させる。これによれば、パルス駆動によって第１光源１１から間欠的に射出される青色光とモーター１４によって回転する回転蛍光板１３の回転周期とが干渉することで発生するフリッカを目立たなくさせることができ、例えば蛍光体１３ｂの固体バラツキ等を原因とした回転蛍光板１３の回転に起因して光量変動が大きくなる場合に特に顕著な効果を得ることができる。
【００７６】
制御部６１は、ＰＷＭ信号生成部２０１によって光源駆動部６２に入力するパルス信号のデューティー（Ｄｕｔｙ）を増加させることで第１光源１１が射出する青色光の出力、つまりは単位時間当たりの光量を増加させることができる。
【００７７】
本実施形態によれば、制御部６１がパルス駆動する第１光源１１のデューティーを増加させることで第１光源１１の出力を増加させることができる。よって、第１実施形態と同様、第１光源１１の点灯後、回転蛍光板１３の回転数の増加に伴って第１光源１１の出力を増加させる。これにより、蛍光体１３ｂの局所的な発熱を抑制することができ、蛍光体１３ｂの長期信頼性を確保しつつ、高速起動を可能にしたプロジェクターを提供できる。
【００７８】
（変形例）
なお、本発明は、上記実施形態に限定されることはなく、本発明の趣旨を逸脱しない範囲内において適宜変更可能である。例えば、以下に示す変形例が可能である。
上記実施形態では、プロジェクターの起動開始における光源装置の初期駆動時の場合について説明したが、プロジェクターの起動開始時以外でも、光源を消灯し回転蛍光板を停止した状態(スリープ)から復帰する時でも、本発明を用いることができる。
【００７９】
上記実施形態では、光変調装置として液晶光変調装置を用いる例について説明したが、本発明はこれに限定されるものではない。光変調装置としては、一般に、画像信号に応じて入射光を変調するものであればよく、ライトバルブやマイクロミラー型光変調装置等を用いても良い。マイクロミラー型光変調装置としては、例えばＤＭＤ（デジタルマイクロミラーデバイス）（ＴＩ社の商標）やＬＣＯＳ（Liquid Crystal On Silicon）等を用いることができる。
【００８０】
上記実施形態では、励起光としての青色光を射出する固体光源１１と、固体光源１１からの青色光を赤色光及び緑色光に変換する回転蛍光板１３とを備える構成について説明したが、本発明はこれに限定されるものではない。例えば、励起光として紫色光又は紫外光を射出する固体光源と、紫色光又は紫外光から赤色光、緑色光、及び青色光を含む色光を生成する回転蛍光板とを備える構成であってもよい。
【００８１】
上記実施形態では、プロジェクターとして透過型のプロジェクターを例に挙げて説明したが、本発明はこれに限定されるものではない。例えば、反射型のプロジェクターにも本発明を適用することができる。ここで、「透過型」とは、透過型の液晶表示装置等のように光変調装置が光を透過すものであることを意味し、「反射型」とは、反射型の液晶表示装置等のように光変調装置が光を反射するものであることを意味する。反射型のプロジェクターに本発明を適用した場合にも、透過型のプロジェクターと同様の効果を得ることができる。
【符号の説明】
【００８２】
１…プロジェクター、１０…照明装置、１１…第１光源（励起光源）、１３…回転蛍光板（蛍光円板）、１４…モーター（モーター部）、３０Ｂ、３０Ｇ、３０Ｒ…液晶光変調装置、５０…第２光源（固体光源）、５５…光源装置、６０…投射光学系、Ｓ１〜Ｓ８…ステップ
【図１】
0005799756.tif 000002
【図２】
0005799756.tif 000003
【図３】
0005799756.tif 000004
【図４】
0005799756.tif 000005
【図５】
0005799756.tif 000006
【図６】
0005799756.tif 000007